(57)【要約】      （修正有）【課題】鏡筒の入光側表面に鏡面領域が設けられており、鏡面領域によって一部の望まない光線の反射方向を調整・制御して、望まない光線が反射された後で撮像レンズから離れるようにすることができる撮像レンズ及びその撮像レンズを備える携帯機器を提供する。【解決手段】撮像レンズ１４００は、入光側表面１４１１及び鏡筒中心軸Ｘを有する鏡筒１４１０と、鏡筒内に設けられたレンズアセンブリ１４２０と、を備える。入光側表面は、少なくとも１つの鏡面突起部が設けられた鏡面領域１４１２を含み、鏡面突起部における鏡筒中心軸に最も近い点と鏡筒中心軸から最も離れた点とを結ぶ直線と、鏡筒中心軸に垂直な直線との間の夾角がθである。所定の関係式を満たす場合、望まない光線が反射されてレンズアセンブリ内に入らないように効果的に抑制して、更に結像品質を向上させることができる。【選択図】図２Ａ
0003190779.tif 000002
【実用新案登録請求の範囲】
【請求項１】
入光側表面及び鏡筒中心軸を有する鏡筒と、
前記鏡筒内に設けられているレンズアセンブリと、を備え、
前記入光側表面は、少なくとも１つの鏡面突起部が設けられている鏡面領域を有し、前記鏡面突起部における前記鏡筒中心軸に最も近い点と前記鏡筒中心軸から最も離れた点とを結ぶ直線と、前記鏡筒中心軸に垂直な直線との間の夾角がθであり１０度＜θ＜４５度の条件式を満たすことを特徴とする撮像レンズ。
【請求項２】
前記鏡面領域は、表面粗さがＳＲでありＳＲ＜１．０μｍの条件式を満たすことを特徴とする請求項１に記載の撮像レンズ。
【請求項３】
前記ＳＲはＳＲ＜０．３５μｍの条件式を満たすことを特徴とする請求項２に記載の撮像レンズ。
【請求項４】
前記ＳＲはＳＲ＜０．１５μｍの条件式を満たすことを特徴とする請求項３に記載の撮像レンズ。
【請求項５】
前記鏡面突起部は、弧面を有し、前記弧面の曲率半径がＲであり０ｍｍ＜Ｒ＜２０ｍｍの条件式を満たすことを特徴とする請求項３に記載の撮像レンズ。
【請求項６】
前記Ｒは０ｍｍ＜Ｒ＜１０ｍｍの条件式を満たすことを特徴とする請求項５に記載の撮像レンズ。
【請求項７】
前記θは、１５度＜θ＜３０度の条件式を満たすことを特徴とする請求項３に記載の撮像レンズ。
【請求項８】
前記鏡面領域には少なくとも２つの鏡面突起部が設けられていることを特徴とする請求項３に記載の撮像レンズ。
【請求項９】
前記入光側表面は、前記鏡面領域に連結されており、前記鏡面領域よりも前記鏡筒中心軸に近く位置しており、消光構造を有する内側ループ領域を更に有することを特徴とする請求項３に記載の撮像レンズ。
【請求項１０】
前記入光側表面は、前記鏡面領域に連結されており、前記鏡面領域よりも前記鏡筒中心軸から離れて位置しており、消光構造を有する外側ループ領域を更に有することを特徴とする請求項９に記載の撮像レンズ。
【請求項１１】
前記鏡面領域から前記鏡筒中心軸までの最大垂直距離であるＹｍａｘ、および、前記鏡面領域から前記鏡筒中心軸までの最小垂直距離であるＹｍｉｎは、
０．２＜（Ｙｍａｘ−Ｙｍｉｎ）／Ｙｍａｘ＜０．８の条件式を満たすことを特徴とする請求項３に記載の撮像レンズ。
【請求項１２】
前記Ｙｍａｘおよび前記Ｙｍｉｎは、０．４＜（Ｙｍａｘ−Ｙｍｉｎ）／Ｙｍａｘ＜０．７の条件式を満たすことを特徴とする請求項１１に記載の撮像レンズ。
【請求項１３】
前記鏡面領域の前記鏡筒中心軸に最も近い点と前記レンズアセンブリの前記鏡筒中心軸上の入光側に最も近い点との間を結ぶ直線と、前記鏡筒中心軸との間の夾角がαであり６０度＜α＜９０度の条件式を満たすことを特徴とする請求項３に記載の撮像レンズ。
【請求項１４】
前記αは、７０度＜α＜８５度の条件式を満たすことを特徴とする請求項１３に記載の撮像レンズ。
【請求項１５】
前記鏡筒の入光側に設けられている保護ガラスを更に備え、
前記鏡筒中心軸上の前記保護ガラスと前記レンズアセンブリとの間の距離がＤ１であり０ｍｍ＜Ｄ１＜２．０ｍｍの条件式を満たすことを特徴とする請求項１に記載の撮像レンズ。
【請求項１６】
入光側表面及び鏡筒中心軸を有する鏡筒と、
前記鏡筒内に設けられているレンズアセンブリと、を有し、
前記入光側表面は、少なくとも１つの鏡面突起部が設けられている鏡面領域を有し、前記鏡面突起部における前記鏡筒中心軸に最も近い点と前記鏡筒中心軸から最も離れた点とを結ぶ直線と、前記鏡筒中心軸に垂直な直線との間の夾角がθであり１０度＜θ＜４５度の条件式を満たす撮像レンズを備える携帯機器。
【請求項１７】
入光側表面及び鏡筒中心軸を有する鏡筒と、
前記鏡筒内に設けられているレンズアセンブリと、
前記鏡筒の入光側に設けられている保護ガラスと、を備え、
前記入光側表面は、鏡面領域を含み、前記鏡面領域の表面粗さがＳＲでありＳＲ＜１．０μｍの条件式を満たし、前記鏡筒中心軸上の前記保護ガラスと前記レンズアセンブリとの間の距離がＤ１であり０ｍｍ＜Ｄ１＜２．０ｍｍである条件式を満たすことを特徴とする撮像レンズ。
【請求項１８】
前記ＳＲは、ＳＲ＜０．３５μｍの条件式を満たすことを特徴とする請求項１７に記載の撮像レンズ。
【請求項１９】
前記ＳＲは、ＳＲ＜０．１５μｍの条件式を満たすことを特徴とする請求項１８に記載の撮像レンズ。
【請求項２０】
前記鏡面領域に少なくとも１つの鏡面突起部が設けられていることを特徴とする請求項１８に記載の撮像レンズ。
【請求項２１】
前記鏡面領域に少なくとも２つの鏡面突起部が設けられていることを特徴とする請求項２０に記載の撮像レンズ。
【請求項２２】
前記鏡面突起部は、弧面を有し、前記弧面の曲率半径がＲであり０ｍｍ＜Ｒ＜２０ｍｍの条件式を満たすことを特徴とする請求項２０に記載の撮像レンズ。
【請求項２３】
前記鏡面突起部における前記鏡筒中心軸に最も近い点と前記鏡筒中心軸から最も離れた点とを結ぶ直線と、前記鏡筒中心軸に垂直な直線との間の夾角がθであり１０度＜θ＜４５度の条件式を満たすことを特徴とする請求項２０に記載の撮像レンズ。
【請求項２４】
前記θは、１５度＜θ＜３０度の条件式を満たすことを特徴とする請求項２３に記載の撮像レンズ。
【請求項２５】
前記鏡面領域から前記鏡筒中心軸までの最大垂直距離であるＹｍａｘ、および、前記鏡面領域から前記鏡筒中心軸までの最小垂直距離であるＹｍｉｎは、０．２＜（Ｙｍａｘ−Ｙｍｉｎ）／Ｙｍａｘ＜０．８の条件式を満たすことを特徴とする請求項１８に記載の撮像レンズ。
【請求項２６】
前記Ｙｍａｘおよび前記Ｙｍｉｎは、０．４＜（Ｙｍａｘ−Ｙｍｉｎ）／Ｙｍａｘ＜０．７の条件式を満たすことを特徴とする請求項２５に記載の撮像レンズ。
【請求項２７】
前記鏡筒中心軸上の前記保護ガラスと前記レンズアセンブリとの間の距離がＤ１であり
０ｍｍ＜Ｄ１＜１．３ｍｍの条件式を満たすことを特徴とする請求項１８に記載の撮像レンズ。
【請求項２８】
前記Ｄ１は、０ｍｍ＜Ｄ１＜１．０ｍｍの条件式を満たすことを特徴とする請求項２７に記載の撮像レンズ。
【請求項２９】
入光側表面及び鏡筒中心軸を有する鏡筒と、
前記鏡筒内に設けられているレンズアセンブリと、
前記鏡筒の入光側に設けられている保護ガラスと、を有し、
前記入光側表面は、鏡面領域を含み、前記鏡面領域の表面粗さがＳＲでありＳＲ＜１．０μｍの条件式を満たし、前記鏡筒中心軸上の前記保護ガラスと前記レンズアセンブリとの間の距離がＤ１であり０ｍｍ＜Ｄ１＜２．０ｍｍの条件式を満たす撮像レンズを備えることを特徴とする携帯機器。
【考案の詳細な説明】
【技術分野】
【０００１】
本考案は、撮像レンズ、及びそれを備えた携帯機器に関する。
【背景技術】
【０００２】
携帯電話、タブレットパソコン等の、撮像装置が搭載されたパーソナル電子製品及び移動通信製品は、日増しに普及し、更に、小型化の光学レンズがそれに伴って盛んに興るようになる。現在、小型化の光学レンズは、次第に高画素分野へ発展しており、軽量化と高結像品質の２つの要望を同時に満たす必要がある。しかしながら、小型化の光学レンズは、レンズの小さな寸法空間、大絞り、広視野角の傾向にある規格要求に制限されて、一部の望まない光線が反射されてレンズアセンブリの中に入って、ライトスポット、フレア、ゴースト等のような結像欠陥を生じるようになりやすい。
【０００３】
図１を参照されたい。図１は、従来の撮像レンズ１５００を示す模式図である。図１から分かるように、従来の撮像レンズ１５００の鏡筒１５１０の入光側表面１５１１により、一部の望まない光線が反射されて（又は、鏡筒１５１０の入光側表面１５１１と前端保護ガラス１５３０において複数回反射されて）、レンズアセンブリ１５２０の中に入りやすく、過剰の望まない光線の原因で、結像欠陥を引き起こして、更に結像品質を低下させ、より高レベルの撮影要求を満たすことができなくなることがある。
【考案の概要】
【考案が解決しようとする課題】
【０００４】
本考案の目的は、鏡筒の入光側表面に鏡面領域が設けられており、鏡面領域によって一部の望まない光線の反射方向を調整・制御して、望まない光線が反射された後で撮像レンズから離れるようにすることができる撮像レンズを提供することである。
【課題を解決するための手段】
【０００５】
本考案の第一態様による撮像レンズは、入光側表面及び鏡筒中心軸を有する鏡筒と、鏡筒内に設けられたレンズアセンブリと、を備える。入光側表面は、少なくとも１つの鏡面突起部が設けられた鏡面領域を含み、鏡面突起部における鏡筒中心軸に最も近い点と鏡筒中心軸から最も離れた点とを結ぶ直線と、鏡筒中心軸に垂直な直線との間の夾角がθであり１０度＜θ＜４５度の条件式を満たす。
これにより、望まない光線がレンズアセンブリに入らないように抑制して、光学的結像品質を向上させることに寄与する。
【０００６】
本考案の第二態様による携帯機器は、入光側表面及び鏡筒中心軸を有する鏡筒と、鏡筒内に設けられたレンズアセンブリと、を有する撮像レンズを備える。入光側表面は、少なくとも１つの鏡面突起部が設けられた鏡面領域を含み、鏡面突起部における鏡筒中心軸に最も近い点と鏡筒中心軸から最も離れた点とを結ぶ直線と、鏡筒中心軸に垂直な直線との間の夾角がθであり１０度＜θ＜４５度の条件式を満たす。
【０００７】
本考案の第三態様による撮像レンズは、入光側表面及び鏡筒中心軸を有する鏡筒と、鏡筒内に設けられたレンズアセンブリと、鏡筒の入光側に設けられた保護ガラスと、を備える。入光側表面は、鏡面領域を含み、鏡面領域の表面粗さがＳＲでありＳＲ＜１．０μｍの条件式を満たし、鏡筒中心軸上の保護ガラスとレンズアセンブリとの間の距離がＤ１であり０ｍｍ＜Ｄ１＜２．０ｍｍの条件式を満たす。
【０００８】
本考案の第四態様による携帯機器は、入光側表面及び鏡筒中心軸を有する鏡筒と、鏡筒内に設けられたレンズアセンブリと、鏡筒の入光側に設けられた保護ガラスと、を有する撮像レンズを備える。入光側表面は、鏡面領域を含み、鏡面領域の表面粗さがＳＲでありＳＲ＜１．０μｍの条件式を満たし、鏡筒中心軸上の保護ガラスとレンズアセンブリとの間の距離がＤ１であり０ｍｍ＜Ｄ１＜２．０ｍｍの条件式を満たす。
【図面の簡単な説明】
【０００９】
【図１】従来の撮像レンズを示す模式図である。
【図２Ａ】本考案の一実施形態による撮像レンズを示す模式図である。
【図２Ｂ】本考案の一実施形態による撮像レンズの鏡面領域を示す部分拡大図である。
【図２Ｃ】本考案の一実施形態による撮像レンズのパラメータを示す模式図である。
【図３Ａ】本考案の第１実施例による撮像レンズを示す模式図である。
【図３Ｂ】本考案の第１実施例による撮像レンズの鏡面領域を示す部分拡大図である。
【図４Ａ】本考案の第２実施例による撮像レンズを示す模式図である。
【図４Ｂ】本考案の第２実施例による撮像レンズの鏡面領域を示す部分拡大図である。
【図５Ａ】本考案の第３実施例による撮像レンズを示す模式図である。
【図５Ｂ】本考案の第３実施例による撮像レンズの鏡面領域を示す部分拡大図である。
【図６Ａ】本考案の第４実施例による撮像レンズを示す模式図である。
【図６Ｂ】本考案の第４実施例による撮像レンズの鏡面領域を示す部分拡大図である。
【図７Ａ】本考案の第５実施例による撮像レンズを示す模式図である。
【図７Ｂ】本考案の第５実施例による撮像レンズの鏡面領域を示す部分拡大図である。
【図８Ａ】本考案の第６実施例による撮像レンズを示す模式図である。
【図８Ｂ】本考案の第６実施例による撮像レンズの鏡面領域を示す部分拡大図である。
【図９Ａ】本考案の第７実施例による撮像レンズを示す模式図である。
【図９Ｂ】本考案の第７実施例による撮像レンズの鏡面領域を示す部分拡大図である。
【図１０Ａ】本考案の第８実施例による撮像レンズを示す模式図である。
【図１０Ｂ】本考案の第８実施例による撮像レンズの鏡面領域を示す部分拡大図である。
【図１１Ａ】本考案の第９実施例による撮像レンズを示す模式図である。
【図１１Ｂ】本考案の第９実施例による撮像レンズの鏡面領域を示す部分拡大図である。
【図１２Ａ】本考案の第１０実施例による撮像レンズを示す模式図である。
【図１２Ｂ】本考案の第１０実施例による撮像レンズの鏡面領域を示す部分拡大図である。
【図１３Ａ】本考案の第１１実施例による撮像レンズを示す模式図である。
【図１３Ｂ】本考案の第１１実施例による撮像レンズの鏡面領域を示す部分拡大図である。
【図１４Ａ】本考案の第１２実施例による撮像レンズを示す模式図である。
【図１４Ｂ】本考案の第１２実施例による撮像レンズの鏡面領域を示す部分拡大図である。
【図１５Ａ】本考案の第１３実施例による撮像レンズを示す模式図である。
【図１５Ｂ】本考案の第１３実施例による撮像レンズの鏡面領域を示す部分拡大図である。
【考案を実施するための形態】
【００１０】
（一実施形態）
本考案の一実施形態による撮像レンズを図２Ａに示す。図２Ａは、本考案の一実施形態による撮像レンズ１４００を示す模式図である。図２Ａから分かるように、撮像レンズ１４００は、鏡筒１４１０と、鏡筒１４１０内に設けられたレンズアセンブリ１４２０と、を備える。鏡筒１４１０は、入光側表面１４１１及び鏡筒中心軸Ｘを有する。入光側表面１４１１は、鏡面領域１４１２を含み、鏡面領域１４１２によって、一部の望まない光線の反射方向を調整・制御して、望まない光線が反射された後で撮像レンズ１４００から離れるようにすることができる。これにより、望まない光線がレンズアセンブリ１４２０に入らないように抑制して、光学的結像品質を向上させることに寄与する。
【００１１】
図２Ｂを合わせて参照されたい。図２Ｂは、図２Ａの撮像レンズ１４００における鏡筒１４１０の入光側表面１４１１上の鏡面領域１４１２を示す部分拡大図である。鏡筒の入光側表面１４１１上の鏡面領域１４１２に少なくとも１つの鏡面突起部１４１５が設けられてよい。鏡面突起部１４１５は、望まない光線が反射された後で撮像レンズ１４００から外へ離れることを強化することができ、これにより、望まない光線がレンズアセンブリ１４２０に入らないようにより効果的に抑制し、更に、光学的結像品質を向上させることができる。
【００１２】
また、図２Ｂにおいて、更に、撮像レンズ１４００におけるパラメータＲ及びθを模式的に提供する。図２Ｂから分かるように、鏡面突起部１４１５は、弧面を有する。鏡面突起部１４１５の弧面の曲率半径がＲであり、鏡面突起部１４１５における鏡筒中心軸Ｘに最も近い点と鏡筒中心軸Ｘから最も離れた点とを結ぶ直線と、鏡筒中心軸Ｘに垂直な直線との間の夾角はθである。
【００１３】
具体的には、鏡面領域１４１２に少なくとも１つの鏡面突起部１４１５が設けられており、鏡面突起部１４１５は、弧面を有してよい。鏡面突起部１４１５の弧面の曲率半径Ｒは、０ｍｍ＜Ｒ＜２０ｍｍの条件を満たすことができる。これにより、望まない光線の反射角度を効果的に強化して、反射された後でレンズアセンブリから更に離れるようにすることができる。好ましくは、０ｍｍ＜Ｒ＜１０ｍｍの条件を満たすことができる。
【００１４】
鏡面領域１４１２に少なくとも１つの鏡面突起部１４１５が設けられており、鏡面突起部１４１５における鏡筒中心軸Ｘに最も近い点と鏡筒中心軸Ｘから最も離れた点とを結ぶ直線と、鏡筒中心軸Ｘに垂直な直線との間の夾角θは、１０度＜θ＜４５度の条件を満たすことができる。これにより、望まない光線の反射角度を効果的に調整・制御して、反射された後でレンズアセンブリから更に離れるようにすることができる。好ましくは、１５度＜θ＜３０度の条件を満たすことができる。
【００１５】
鏡面領域１４１２の表面粗さ（中心線平均粗さと定義される）ＳＲは、ＳＲ＜１．０μｍの条件を満たすことができる。これにより、鏡面領域１４１２の導光能力を効果的に強化して、望まない光線をより効果的に反射させ、望まない光線の散乱を減少して、望まない光線がレンズアセンブリ１４２０に入らないように抑制して、光学的結像品質を向上させることに寄与することができる。好ましくは、ＳＲ＜０．３５μｍの条件を満たすことができる。より好ましくは、ＳＲ＜０．１５μｍの条件を満たすことができる。
【００１６】
鏡面領域１４１２に少なくとも２つの鏡面突起部１４１５が設けられてよい。これにより、望まない光線の反射領域をより効果的に調整・制御することができ、また、単一の鏡面突起部の角度があまり大きくならないようにすることができ、更に加工製造に有利である。
【００１７】
鏡筒１４１０の入光側表面１４１１は、内側ループ領域１４１３を更に含んでよい。内側ループ領域１４１３は、鏡面領域１４１２に連結されており、鏡面領域１４１２よりも鏡筒中心軸Ｘに近く、且つ、微細構造、光吸収膜層等の従来の消光処理方式のような消光構造を有してよく、消光構造によって、一部の取り除きにくい望まない光線を弱化して、その強度を弱め又は消散させ、望まない光線の光学的結像品質に対する影響を更に下げることができる。
【００１８】
鏡筒１４１０の入光側表面１４１１は、外側ループ領域１４１４を更に含んでよい。外側ループ領域１４１４は、鏡面領域１４１２に連結されており、鏡面領域１４１２よりも鏡筒中心軸Ｘから離れ、且つ、消光構造を有することもでき、消光構造によって、一部の大入射角の望まない光線を弱化して、強度を弱め又は消散させ、大入射角の望まない光線の光学的結像品質に対する影響を更に下げることができる。
【００１９】
撮像レンズ１４００は、保護ガラス１４３０を更に備えてよい。保護ガラス１４３０は、鏡筒１４１０の入光側に設けられてよい。また、保護ガラス１４３０には、遮光部材１４３１が設けられてよい。遮光部材１４３１によって、望まない光線の数を減少することができ、また、望まない光線の鏡筒入光側表面１４１１と保護ガラス１４３０との間での複数回の反射を効果的に無くして、望まない光線が反射された後でレンズアセンブリ１４２０に入る強度を下げることができる。
【００２０】
図２Ｃを合わせて参照されたい。図２Ｃは、図２Ａにおける撮像レンズ１４００のパラメータを示す模式図である。図２Ｃから分かるように、保護ガラス１４３０は、鏡筒１４１０の入光側に設けられてよく、鏡筒中心軸Ｘ上の保護ガラス１４３０とレンズアセンブリ１４２０との間の距離Ｄ１は、０ｍｍ＜Ｄ１＜２．０ｍｍの条件を満たすことができる。これにより、大入射角度の望まない光線を効果的に遮断して、望まない光線の光学的結像品質に対する影響を更に下げることができる。好ましくは、０ｍｍ＜Ｄ１＜１．３ｍｍの条件を満たすことができる。より好ましくは、０ｍｍ＜Ｄ１＜１．０ｍｍの条件を満たすことができる。
【００２１】
鏡面領域１４１２から鏡筒中心軸Ｘまでの最大垂直距離がＹｍａｘであり、鏡面領域１４１２から鏡筒中心軸Ｘまでの最小垂直距離がＹｍｉｎであり、０．２＜（Ｙｍａｘ−Ｙｍｉｎ）／Ｙｍａｘ＜０．８の条件を満たすことができる。これにより、鏡面領域の望まない光線を反射する領域を効果的に大きくすることができ、更に、それぞれの角度の望まない光線が効果的に反射された後でレンズアセンブリから離れることができる。好ましくは、０．４＜（Ｙｍａｘ−Ｙｍｉｎ）／Ｙｍａｘ＜０．７の条件を満たすことができる。
【００２２】
鏡面領域１４１２の鏡筒中心軸Ｘに最も近い点とレンズアセンブリ１４２０の鏡筒中心軸Ｘでの入光側に最も近い点との間を結ぶ直線と、鏡筒中心軸Ｘとの間の夾角αは、６０度＜α＜９０度の条件式を満たす。これにより、望まない光線の反射角度を効果的に調整・制御して、反射された後でレンズアセンブリから更に離れるようにすることができる。好ましくは、更に７０度＜α＜８５度の条件式を満たすことができる。
【００２３】
また、本考案の別の実施形態は、上記の撮像レンズを具備する携帯機器を提供する。携帯機器としては、携帯電話、タブレットパソコン、ウェアラブル電子製品等であってよい。携帯機器の撮像レンズは、入光側表面に鏡面領域を設けることにより、一部の望まない光線の反射方向を調整・制御して、望まない光線が反射された後で撮像レンズから離れるようにして、望まない光線がレンズアセンブリに入らないように抑制して、光学的結像品質を向上させることに寄与する。
【００２４】
上記実施形態に基づいて、以下、具体的な実施例を提供して、図面に合わせて詳しく説明する。
【００２５】
＜第１実施例＞
図３Ａ及び図３Ｂを参照されたい。図３Ａは、本考案の第１実施例による撮像レンズ１００を示す模式図である。図３Ｂは、図３Ａにおける撮像レンズ１００の鏡面領域１１２を示す部分拡大図である。撮像レンズ１００は、鏡筒１１０と、鏡筒１１０内に設けられたレンズアセンブリ１２０と、を備える。鏡筒１１０は、入光側表面１１１及び鏡筒中心軸Ｘを有する。入光側表面１１１は、鏡面領域１１２、内側ループ領域１１３及び外側ループ領域１１４を含む。内側ループ領域１１３は、鏡面領域１１２に連結されており、鏡面領域１１２よりも鏡筒中心軸Ｘに近く、外側ループ領域１１４は、鏡面領域１１２に連結されており、鏡面領域１１２よりも鏡筒中心軸Ｘから離れる。鏡面領域１１２に、弧面を有する１つの鏡面突起部１１５が設けられている。内側ループ領域１１３は、消光構造を有し、本実施例の消光構造は、消光効果を有する微細構造である。
【００２６】
鏡面領域１１２の表面粗さがＳＲであり、鏡面領域１１２から鏡筒中心軸Ｘまでの最大垂直距離がＹｍａｘであり、鏡面領域１１２から鏡筒中心軸Ｘまでの最小垂直距離がＹｍｉｎであり、鏡面突起部１１５の曲率半径がＲであり、鏡面突起部１１５における鏡筒中心軸Ｘに最も近い点と鏡筒中心軸Ｘから最も離れた点とを結ぶ直線と、鏡筒中心軸Ｘに垂直な直線との間の夾角がθであり、鏡面領域１１２の鏡筒中心軸Ｘに最も近い点とレンズアセンブリ１２０の鏡筒中心軸Ｘでの入光側に最も近い点との間を結ぶ直線と、鏡筒中心軸Ｘとの間の夾角がαである。
第１実施例におけるＳＲ、Ｙｍａｘ、Ｙｍａｘ−Ｙｍｉｎ、Ｒ、θ及びαのデータは、表１に示す通りである。
【００２７】
【表１】
0003190779.tif 000003
【００２８】
＜第２実施例＞
図４Ａ及び図４Ｂを参照されたい。図４Ａは、本考案の第２実施例による撮像レンズ２００を示す模式図である。図４Ｂは、図４Ａにおける撮像レンズ２００の鏡面領域２１２を示す部分拡大図である。撮像レンズ２００は、鏡筒２１０と、鏡筒２１０内に設けられたレンズアセンブリ２２０と、を備える。鏡筒２１０は、入光側表面２１１及び鏡筒中心軸Ｘを有する。入光側表面２１１は、鏡面領域２１２、内側ループ領域２１３及び外側ループ領域２１４を含む。内側ループ領域２１３は、鏡面領域２１２に連結されており、鏡面領域２１２よりも鏡筒中心軸Ｘに近く、外側ループ領域２１４は、鏡面領域２１２に連結されており、鏡面領域２１２よりも鏡筒中心軸Ｘから離れる。鏡面領域２１２に、弧面を有する１つの鏡面突起部２１５が設けられている。内側ループ領域２１３は、消光構造を有し、本実施例の消光構造は、消光効果を有する微細構造である。
第２実施例におけるＳＲ、Ｙｍａｘ、Ｙｍａｘ−Ｙｍｉｎ、Ｒ、θ及びαの定義は、上記第１実施例での定義と同じであり、繰り返して説明せず、そのデータは、表２に示す通りである。
【００２９】
【表２】
0003190779.tif 000004
【００３０】
＜第３実施例＞
図５Ａ及び図５Ｂを参照されたい。図５Ａは、本考案の第３実施例による撮像レンズ３００を示す模式図である。図５Ｂは、図５Ａにおける撮像レンズ３００の鏡面領域３１２を示す部分拡大図である。撮像レンズ３００は、鏡筒３１０と、鏡筒３１０内に設けられたレンズアセンブリ３２０と、を備える。鏡筒３１０は、入光側表面３１１及び鏡筒中心軸Ｘを有する。入光側表面３１１は、鏡面領域３１２、内側ループ領域３１３及び外側ループ領域３１４を含む。内側ループ領域３１３は、鏡面領域３１２に連結されており、鏡面領域３１２よりも鏡筒中心軸Ｘに近く、外側ループ領域３１４は、鏡面領域３１２に連結されており、鏡面領域３１２よりも鏡筒中心軸Ｘから離れる。鏡面領域３１２に、何れも弧面を有する２つの鏡面突起部３１５ａ、３１５ｂが設けられている。内側ループ領域３１３は、消光構造を有し、本実施例の消光構造は、消光効果を有する微細構造である。
【００３１】
鏡面領域３１２の表面粗さがＳＲであり、鏡面領域３１２から鏡筒中心軸Ｘまでの最大垂直距離がＹｍａｘであり、鏡面領域３１２から鏡筒中心軸Ｘまでの最小垂直距離がＹｍｉｎであり、２つの鏡面突起部３１５ａ、３１５ｂの曲率半径がそれぞれＲａ、Ｒｂであり、２つの鏡面突起部３１５ａ、３１５ｂにおける鏡筒中心軸Ｘに最も近い点と鏡筒中心軸Ｘから最も離れた点とを結ぶ直線と、鏡筒中心軸Ｘに垂直な直線との間の夾角がそれぞれθａ、θｂであり、鏡面領域３１２の鏡筒中心軸Ｘに最も近い点とレンズアセンブリ３２０の鏡筒中心軸Ｘでの入光側に最も近い点との間を結ぶ直線と、鏡筒中心軸Ｘとの間の夾角がαである。
第３実施例におけるＳＲ、Ｙｍａｘ、Ｙｍａｘ−Ｙｍｉｎ、Ｒａ、Ｒｂ、θａ、θｂ及びαのデータは、表３に示す通りである。
【００３２】
【表３】
0003190779.tif 000005
【００３３】
＜第４実施例＞
図６Ａ及び図６Ｂを参照されたい。図６Ａは、本考案の第４実施例による撮像レンズ４００を示す模式図である。図６Ｂは、図６Ａにおける撮像レンズ４００の鏡面領域４１２を示す部分拡大図である。撮像レンズ４００は、鏡筒４１０と、鏡筒４１０内に設けられたレンズアセンブリ４２０と、鏡筒４１０の入光側に設けられた保護ガラス４３０と、を備える。鏡筒４１０は、入光側表面４１１及び鏡筒中心軸Ｘを有する。入光側表面４１１は、鏡面領域４１２、内側ループ領域４１３及び外側ループ領域４１４を含む。内側ループ領域４１３は、鏡面領域４１２に連結されており、鏡面領域４１２よりも鏡筒中心軸Ｘに近く、外側ループ領域４１４は、鏡面領域４１２に連結されており、鏡面領域４１２よりも鏡筒中心軸Ｘから離れる。鏡面領域４１２に、弧面を有する鏡面突起部４１５が設けられている。内側ループ領域４１３は、消光構造を有し、本実施例の消光構造は、消光効果を有する微細構造である。保護ガラス４３０に遮光部材４３１が設けられている。
【００３４】
鏡面領域４１２の表面粗さがＳＲであり、鏡面領域４１２から鏡筒中心軸Ｘまでの最大垂直距離がＹｍａｘであり、鏡面領域４１２から鏡筒中心軸Ｘまでの最小垂直距離がＹｍｉｎであり、鏡面突起部４１５の弧面の曲率半径がＲであり、鏡面突起部４１５における鏡筒中心軸Ｘに最も近い点と鏡筒中心軸Ｘから最も離れた点とを結ぶ直線と、鏡筒中心軸Ｘに垂直な直線との間の夾角がθであり、鏡筒中心軸Ｘ上の保護ガラス４３０とレンズアセンブリ４２０との間の距離がＤ１である。鏡面領域４１２の鏡筒中心軸Ｘに最も近い点とレンズアセンブリ４２０の鏡筒中心軸Ｘでの入光側に最も近い点とを結ぶ直線と、鏡筒中心軸Ｘとの間の夾角がαである。
第４実施例におけるＳＲ、Ｙｍａｘ、Ｙｍａｘ−Ｙｍｉｎ、Ｒ、θ、α及びＤ１のデータは、表４に示す通りである。
【００３５】
【表４】
0003190779.tif 000006
【００３６】
＜第５実施例＞
図７Ａ及び図７Ｂを参照されたい。図７Ａは、本考案の第５実施例による撮像レンズ５００を示す模式図である。図７Ｂは、図７Ａにおける撮像レンズ５００の鏡面領域５１２を示す部分拡大図である。撮像レンズ５００は、鏡筒５１０と、鏡筒５１０内に設けられたレンズアセンブリ５２０と、鏡筒５１０の入光側に設けられた保護ガラス５３０と、を備える。鏡筒５１０は、入光側表面５１１及び鏡筒中心軸Ｘを有する。入光側表面５１１は、鏡面領域５１２、内側ループ領域５１３及び外側ループ領域５１４を含む。内側ループ領域５１３は、鏡面領域５１２に連結されており、鏡面領域５１２よりも鏡筒中心軸Ｘに近く、外側ループ領域５１４は、鏡面領域５１２に連結されており、鏡面領域５１２よりも鏡筒中心軸Ｘから離れる。鏡面領域５１２に、弧面を有する鏡面突起部５１５が設けられている。内側ループ領域５１３は、消光構造を有し、本実施例の消光構造は、消光効果を有する微細構造である。保護ガラス５３０に遮光部材５３１が設けられている。
第５実施例におけるＳＲ、Ｙｍａｘ、Ｙｍａｘ−Ｙｍｉｎ、Ｒ、θ、α及びＤ１の定義は、上記第４実施例での定義と同じであり、繰り返して説明せず、そのデータは、表５に示す通りである。
【００３７】
【表５】
0003190779.tif 000007
【００３８】
＜第６実施例＞
図８Ａ及び図８Ｂを参照されたい。図８Ａは、本考案の第６実施例による撮像レンズ６００を示す模式図である。図８Ｂは、図８Ａにおける撮像レンズ６００の鏡面領域６１２を示す部分拡大図である。撮像レンズ６００は、鏡筒６１０と、鏡筒６１０内に設けられたレンズアセンブリ６２０と、鏡筒６１０の入光側に設けられた保護ガラス６３０と、を備える。鏡筒６１０は、入光側表面６１１及び鏡筒中心軸Ｘを有する。入光側表面６１１は、鏡面領域６１２、内側ループ領域６１３及び外側ループ領域６１４を含む。内側ループ領域６１３は、鏡面領域６１２に連結されており、鏡面領域６１２よりも鏡筒中心軸Ｘに近く、外側ループ領域６１４は、鏡面領域６１２に連結されており、鏡面領域６１２よりも鏡筒中心軸Ｘから離れる。鏡面領域６１２に、弧面を有する鏡面突起部６１５が設けられている。内側ループ領域６１３は、消光構造を有し、本実施例の消光構造は、消光効果を有する微細構造である。保護ガラス６３０に遮光部材６３１が設けられている。
第６実施例におけるＳＲ、Ｙｍａｘ、Ｙｍａｘ−Ｙｍｉｎ、Ｒ、θ、α及びＤ１の定義は、上記第４実施例での定義と同じであり、繰り返して説明せず、そのデータは、表６に示す通りである。
【００３９】
【表６】
0003190779.tif 000008
【００４０】
＜第７実施例＞
図９Ａ及び図９Ｂを参照されたい。図９Ａは、本考案の第７実施例による撮像レンズ７００を示す模式図である。図９Ｂは、図９Ａにおける撮像レンズ７００の鏡面領域７１２を示す部分拡大図である。撮像レンズ７００は、鏡筒７１０と、鏡筒７１０内に設けられたレンズアセンブリ７２０と、鏡筒７１０の入光側に設けられた保護ガラス７３０と、を備える。鏡筒７１０は、入光側表面７１１及び鏡筒中心軸Ｘを有する。入光側表面７１１は、鏡面領域７１２、内側ループ領域７１３及び外側ループ領域７１４を含む。内側ループ領域７１３は、鏡面領域７１２に連結されており、鏡面領域７１２よりも鏡筒中心軸Ｘに近く、外側ループ領域７１４は、鏡面領域７１２に連結されており、鏡面領域７１２よりも鏡筒中心軸Ｘから離れる。鏡面領域７１２に、弧面を有する鏡面突起部７１５が設けられている。内側ループ領域７１３及び外側ループ領域７１４は、何れも消光構造を有し、本実施例における内側ループ領域７１３及び外側ループ領域７１４の消光構造は、何れも消光効果を有する微細構造である。保護ガラス７３０に遮光部材７３１が設けられている。
第７実施例におけるＳＲ、Ｙｍａｘ、Ｙｍａｘ−Ｙｍｉｎ、Ｒ、θ、α及びＤ１の定義は、上記第４実施例での定義と同じであり、繰り返して説明せず、そのデータは、表７に示す通りである。
【００４１】
【表７】
0003190779.tif 000009
【００４２】
＜第８実施例＞
図１０Ａ及び図１０Ｂを参照されたい。図１０Ａは、本考案の第８実施例による撮像レンズ８００を示す模式図である。図１０Ｂは、図１０Ａにおける撮像レンズ８００の鏡面領域８１２を示す部分拡大図である。撮像レンズ８００は、鏡筒８１０と、鏡筒８１０内に設けられたレンズアセンブリ８２０と、鏡筒８１０の入光側に設けられた保護ガラス８３０と、を備える。鏡筒８１０は、入光側表面８１１及び鏡筒中心軸Ｘを有する。入光側表面８１１は、鏡面領域８１２、内側ループ領域８１３及び外側ループ領域８１４を含む。内側ループ領域８１３は、鏡面領域８１２に連結されており、鏡面領域８１２よりも鏡筒中心軸Ｘに近く、外側ループ領域８１４は、鏡面領域８１２に連結されており、鏡面領域８１２よりも鏡筒中心軸Ｘから離れる。鏡面領域８１２に、弧面を有する１つの鏡面突起部８１５が設けられている。内側ループ領域８１３は、消光構造を有し、本実施例の消光構造は、消光効果を有する微細構造である。保護ガラス８３０に遮光部材８３１が設けられている。
第８実施例におけるＳＲ、Ｙｍａｘ、Ｙｍａｘ−Ｙｍｉｎ、Ｒ、θ、α及びＤ１の定義は、上記第４実施例での定義と同じであり、繰り返して説明せず、そのデータは、表８に示す通りである。
【００４３】
【表８】
0003190779.tif 000010
【００４４】
＜第９実施例＞
図１１Ａ及び図１１Ｂを参照されたい。図１１Ａは、本考案の第９実施例による撮像レンズ９００を示す模式図である。図１１Ｂは、図１１Ａにおける撮像レンズ９００の鏡面領域９１２を示す部分拡大図である。撮像レンズ９００は、鏡筒９１０と、鏡筒９１０内に設けられたレンズアセンブリ９２０と、鏡筒９１０の入光側に設けられた保護ガラス９３０と、を備える。鏡筒９１０は、入光側表面９１１及び鏡筒中心軸Ｘを有する。入光側表面９１１は、鏡面領域９１２、内側ループ領域９１３及び外側ループ領域９１４を含む。内側ループ領域９１３は、鏡面領域９１２に連結されており、鏡面領域９１２よりも鏡筒中心軸Ｘに近く、外側ループ領域９１４は、鏡面領域９１２に連結されており、鏡面領域９１２よりも鏡筒中心軸Ｘから離れる。鏡面領域９１２に、何れも弧面を有する２つの鏡面突起部９１５ａ、９１５ｂが設けられている。内側ループ領域９１３は、消光構造を有し、本実施例の消光構造は、消光効果を有する微細構造である。保護ガラス９３０に遮光部材９３１が設けられている。
第９実施例におけるＳＲ、Ｙｍａｘ、Ｙｍａｘ−Ｙｍｉｎ、α及びＤ１の定義は、上記第４実施例での定義と同じであり、Ｒａ、Ｒｂ、θａ及びθｂの定義は、上記第３実施例での定義と同じであり、ここで何れも繰り返して説明せず、そのデータは、表９に示す通りである。
【００４５】
【表９】
0003190779.tif 000011
【００４６】
＜第１０実施例＞
図１２Ａ及び図１２Ｂを参照されたい。図１２Ａは、本考案の第１０実施例による撮像レンズ１０００を示す模式図である。図１２Ｂは、図１２Ａにおける撮像レンズ１０００の鏡面領域１０１２を示す部分拡大図である。撮像レンズ１０００は、鏡筒１０１０と、鏡筒１０１０内に設けられたレンズアセンブリ１０２０と、鏡筒１０１０の入光側に設けられた保護ガラス１０３０と、を備える。鏡筒１０１０は、入光側表面１０１１及び鏡筒中心軸Ｘを有する。入光側表面１０１１は、鏡面領域１０１２、内側ループ領域１０１３及び外側ループ領域１０１４を含む。内側ループ領域１０１３は、鏡面領域１０１２に連結されており、鏡面領域１０１３よりも鏡筒中心軸Ｘに近く、外側ループ領域１０１４は、鏡面領域１０１３に連結されており、鏡面領域１０１３よりも鏡筒中心軸Ｘから離れる。鏡面領域１０１２に２つの鏡面突起部１０１５ａ、１０１５ｂが設けられている。内側ループ領域１０１３は、消光構造を有し、本実施例の消光構造は、消光効果を有する微細構造である。保護ガラス１０３０に遮光部材１０３１が設けられている。
第１０実施例におけるＳＲ、Ｙｍａｘ、Ｙｍａｘ−Ｙｍｉｎ、α及びＤ１の定義は、上記第４実施例での定義と同じであり、Ｒａ、Ｒｂ、θａ及びθｂの定義は、上記第３実施例での定義と同じであり、ここで何れも繰り返して説明せず、そのデータは、表１０に示す通りである。
【００４７】
【表１０】
0003190779.tif 000012
【００４８】
＜第１１実施例＞
図１３Ａ及び図１３Ｂを参照されたい。図１３Ａは、本考案の第１１実施例による撮像レンズ１１００を示す模式図である。図１３Ｂは、図１３Ａにおける撮像レンズ１１００の鏡面領域１１１２を示す部分拡大図である。撮像レンズ１１００は、鏡筒１１１０と、鏡筒１１１０内に設けられたレンズアセンブリ１１２０と、鏡筒１１１０の入光側に設けられた保護ガラス１１３０と、を備える。鏡筒１１１０は、入光側表面１１１１及び鏡筒中心軸Ｘを有する。入光側表面１１１１は、鏡面領域１１１２、内側ループ領域１１１３及び外側ループ領域１１１４を含む。内側ループ領域１１１３は、鏡面領域１１１２に連結されており、鏡面領域１１１２よりも鏡筒中心軸Ｘに近く、外側ループ領域１１１４は、鏡面領域１１１２に連結されており、鏡面領域１１１２よりも鏡筒中心軸Ｘから離れる。鏡面領域１１１２に２つの鏡面突起部１１１５ａ、１１１５ｂが設けられている。内側ループ領域１１１３は、消光構造を有し、本実施例の消光構造は、消光効果を有する微細構造である。保護ガラス１１３０に遮光部材１１３１が設けられている。
第１１実施例におけるＳＲ、Ｙｍａｘ、Ｙｍａｘ−Ｙｍｉｎ、α及びＤ１の定義は、上記第４実施例での定義と同じであり、Ｒａ、Ｒｂ、θａ及びθｂの定義は、上記第３実施例での定義と同じであり、ここで何れも繰り返して説明せず、そのデータは、表１１に示す通りである。
【００４９】
【表１１】
0003190779.tif 000013
【００５０】
＜第１２実施例＞
図１４Ａ及び図１４Ｂを参照されたい。図１４Ａは、本考案の第１２実施例による撮像レンズ１２００を示す模式図である。図１４Ｂは、図１４Ａにおける撮像レンズ１２００の鏡面領域１２１２を示す部分拡大図である。撮像レンズ１２００は、鏡筒１２１０と、鏡筒１２１０内に設けられたレンズアセンブリ１２２０と、鏡筒１２１０の入光側に設けられた保護ガラス１２３０と、を備える。鏡筒１２１０は、入光側表面１２１１及び鏡筒中心軸Ｘを有する。入光側表面１２１１は、鏡面領域１２１２、内側ループ領域１２１３及び外側ループ領域１２１４を含む。内側ループ領域１２１３は、鏡面領域１２１２に連結されており、鏡面領域１２１２よりも鏡筒中心軸Ｘに近く、外側ループ領域１２１４は、鏡面領域１２１２に連結されており、鏡面領域１２１２よりも鏡筒中心軸Ｘから離れる。鏡面領域１２１２に２つの鏡面突起部１２１５ａ、１２１５ｂが設けられている。内側ループ領域１２１３及び外側ループ領域１２１４は、何れも消光構造を有し、本実施例において、内側ループ領域１２１３及び外側ループ領域１２１４の消光構造は、何れも消光効果を有する微細構造である。保護ガラス１２３０に遮光部材１２３１が設けられている。
第１２実施例におけるＳＲ、Ｙｍａｘ、Ｙｍａｘ−Ｙｍｉｎ、α及びＤ１の定義は、上記第４実施例での定義と同じであり、Ｒａ、Ｒｂ、θａ及びθｂの定義は、上記第３実施例での定義と同じであり、ここで何れも繰り返して説明せず、そのデータは、表１２に示す通りである。
【００５１】
【表１２】
0003190779.tif 000014
【００５２】
＜第１３実施例＞
図１５Ａ及び図１５Ｂを参照されたい。図１５Ａは、本考案の第１３実施例による撮像レンズ１３００を示す模式図である。図１５Ｂは、図１５Ａにおける撮像レンズ１３００の鏡面領域１３１２を示す部分拡大図である。撮像レンズ１３００は、鏡筒１３１０と、鏡筒１３１０内に設けられたレンズアセンブリ１３２０と、鏡筒１３１０の入光側に設けられた保護ガラス１３３０と、を備える。鏡筒１３１０は、入光側表面１３１１及び鏡筒中心軸Ｘを有する。入光側表面１３１１は、鏡面領域１３１２、内側ループ領域１３１３及び外側ループ領域１３１４を含む。内側ループ領域１３１３は、鏡面領域１３１２に連結されており、鏡面領域１３１２よりも鏡筒中心軸Ｘに近く、外側ループ領域１３１４は、鏡面領域１３１２に連結されており、鏡面領域１３１２よりも鏡筒中心軸Ｘから離れる。鏡面領域１３１２に２つの鏡面突起部１３１５ａ、１３１５ｂが設けられている。内側ループ領域１３１３は、消光構造を有し、本実施例の消光構造は、消光効果を有する微細構造である。保護ガラス１３３０に遮光部材１３３１が設けられている。
第１３実施例におけるＳＲ、Ｙｍａｘ、Ｙｍａｘ−Ｙｍｉｎ、α及びＤ１の定義は、上記第４実施例での定義と同じであり、Ｒａ、Ｒｂ、θａ及びθｂの定義は、上記第３実施例での定義と同じであり、ここで何れも繰り返して説明せず、そのデータは、表１３に示す通りである。
【００５３】
【表１３】
0003190779.tif 000015
【００５４】
上記第１実施例〜第１３実施例に対応する図３Ａ、図３Ｂ〜図１５Ａ、図１５Ｂは、実際のサイズの比例関係に応じて描いたものである。
【００５５】
本考案の実施例を前述の通り開示したが、これは本考案を限定するためのものではなく、当業者であれば、本考案の精神と範囲から逸脱しない限り、多様の変更や修正を加えることができる。従って、本考案の技術的範囲は、実用新案登録請求の範囲に記載した内容を基準とする。
【符号の説明】
【００５６】
１００、２００、３００、４００、５００  撮像レンズ、
６００、７００、８００、９００、１０００  撮像レンズ、
１１００、１２００、１３００、１４００  撮像レンズ、
１１０、２１０、３１０、４１０、５１０  鏡筒、
６１０、７１０、８１０、９１０、１０１０  鏡筒、
１１１０、１２１０、１３１０、１４１０  鏡筒、
１２０、２２０、３２０、４２０、５２０  レンズアセンブリ、
６２０、７２０、８２０、９２０、１０２０  レンズアセンブリ、
１１２０、１２２０、１３２０、１４２０  レンズアセンブリ、
４３０、５３０、６３０、７３０  保護ガラス、
８３０、９３０、１０３０、１１３０  保護ガラス、
１２３０、１３３０、１４３０  保護ガラス、
１１１、２１１、３１１、４１１、５１１  入光側表面、
６１１、７１１、８１１、９１１、１０１１  入光側表面、
１１１１、１２１１、１３１１、１４１１  入光側表面、
１１２、２１２、３１２、４１２、５１２  鏡面領域、
６１２、７１２、８１２、９１２、１０１２  鏡面領域、
１１１２、１２１２、１３１２、１４１２  鏡面領域、
１１３、２１３、３１３、４１３、５１３  内側ループ領域、
６１３、７１３、８１３、９１３、１０１３  内側ループ領域、
１１１３、１２１３、１３１３、１４１３  内側ループ領域、
１１４、２１４、３１４、４１４、５１４  外側ループ領域、
６１４、７１４、８１４、９１４、１０１４  外側ループ領域、
１１１４、１２１４、１３１４、１４１４  外側ループ領域、
１１５、２１５、３１５ａ、３１５ｂ、４１５  鏡面突起部、
５１５、６１５、７１５、８１５、９１５ａ  鏡面突起部、
９１５ｂ、１０１５ａ、１０１５ｂ、１１１５ａ  鏡面突起部、
１１１５ｂ、１２１５ａ、１２１５ｂ  鏡面突起部、
１３１５ａ、１３１５ｂ、１４１５  鏡面突起部、
４３１、５３１、６３１、７３１  遮光部材、
８３１、９３１、１０３１、１１３１  遮光部材、
１２３１、１３３１、１４３１  遮光部材、
Ｄ１  距離、
Ｒ  曲率半径、
ＳＲ  表面粗さ、
Ｘ  鏡筒中心軸、
Ｙｍａｘ  最大垂直距離、
Ｙｍｉｎ  最小垂直距離、
α  夾角、
θ  夾角。
【図１】
0003190779.tif 000016
【図２Ａ】
0003190779.tif 000017
【図２Ｂ】
0003190779.tif 000018
【図２Ｃ】
0003190779.tif 000019
【図３Ａ】
0003190779.tif 000020
【図３Ｂ】
0003190779.tif 000021
【図４Ａ】
0003190779.tif 000022
【図４Ｂ】
0003190779.tif 000023
【図５Ａ】
0003190779.tif 000024
【図５Ｂ】
0003190779.tif 000025
【図６Ａ】
0003190779.tif 000026
【図６Ｂ】
0003190779.tif 000027
【図７Ａ】
0003190779.tif 000028
【図７Ｂ】
0003190779.tif 000029
【図８Ａ】
0003190779.tif 000030
【図８Ｂ】
0003190779.tif 000031
【図９Ａ】
0003190779.tif 000032
【図９Ｂ】
0003190779.tif 000033
【図１０Ａ】
0003190779.tif 000034
【図１０Ｂ】
0003190779.tif 000035
【図１１Ａ】
0003190779.tif 000036
【図１１Ｂ】
0003190779.tif 000037
【図１２Ａ】
0003190779.tif 000038
【図１２Ｂ】
0003190779.tif 000039
【図１３Ａ】
0003190779.tif 000040
【図１３Ｂ】
0003190779.tif 000041
【図１４Ａ】
0003190779.tif 000042
【図１４Ｂ】
0003190779.tif 000043
【図１５Ａ】
0003190779.tif 000044
【図１５Ｂ】
0003190779.tif 000045